(57)【特許請求の範囲】
【請求項１】
電動機を内蔵する本体と、前記本体上に着脱自在に載置された容器とを備え、前記電動機の回転力を利用して前記容器内の被調理物を調理する電動調理器であって、
前記電動機への過電流を防止するサーキットブレーカと、前記容器が前記本体上へ載置されたとき、又は前記容器が前記本体上から取り外されたときに前記サーキットブレーカをリセットするリセット手段と、を設けたことを特徴とする電動調理器。
【請求項２】
請求項１に記載の電動調理器において、
前記リセット手段は、前記容器を前記本体から取り外したときには、前記サーキットブレーカをリセットするとともに、前記電動機の回転を停止させることを特徴とする電動調理器。
【請求項３】
電動機を内蔵する本体と、前記本体上に着脱自在に載置された容器とを備え、前記電動機の回転力を利用して前記容器内の被調理物を調理する電動調理器であって、
前記電動機への過電流を防止するサーキットブレーカと、前記本体上部に設けられ、弾性部材によって付勢されて常時上方に位置し、前記容器が本体上に載置されたときに容器重量によって押されて下方に移動する押し棒とを備え、前記押し棒の側縁には凹部が上下に形成され、前記押し棒が上下方向に移動して、前記サーキットブレーカの復帰レバーが前記押し棒の側縁に倣って進退することにより、前記サーキットブレーカがリセットされることを特徴とする電動調理器。
【発明の詳細な説明】
【０００１】
【発明の属する技術分野】
本発明は、電動機を内蔵した本体上部に容器が着脱自在に載置され、電動機の回転力を利用して容器内の被調理物を調理する電動調理器に関する。
【０００２】
【従来の技術】
電動機の回転力を利用して容器内の被調理物を調理する電動調理器として、例えばミキサーがある。このようなミキサーは、電動機を内蔵した本体と、この本体の上部に着脱自在に載置され内部に回転可能なカッターとが設けられ、電動機でカッターを回転駆動させることにより、容器内の被調理物を細かく切り刻むことができる。
【０００３】
ところで、容器内に被調理物を多く入れすぎると、負荷が過大となって大電流が流れ電動機故障の原因となる。これを防ぐために、従来のミキサーにおいては、電動機への給電制御を行う主回路にヒューズを組み込んで、負荷が過大となって大電流が流れたときは、ヒューズが切れて主回路をオフにし、電動機への給電を停止するようになっていた。
【０００４】
しかし、ヒューズは切れてしまうと新品のヒューズに取り替えなければならず、新品のヒューズが手元にない場合には、ミキサーを使用できなくなり非常に不便であった。
【０００５】
そこで、主回路にサーキットブレーカを設けたミキサーが提案されている。このミキサーでは、サーキットブレーカのリセットボタンが本体底面に取り付けられ、このリセットボタンを押すことによりサーキットブレーカがリセットされて、電動機の負荷が過大となってオフ状態となってしまった主回路をオン状態に戻すことができるようになっている。
【０００６】
【発明が解決しようとする課題】
しかしながら、上記従来の技術では、リセットボタンが本体底面に取り付けられているので、リセットボタンを操作する際には、本体を逆さまにして底面を上にしてからリセットボタンを押すか、または本体を調理台等より手前側に引き寄せてリセットボタンを手探りで押さなければならず、ボタン操作が非常に煩わしい。
【０００７】
本発明の課題は、特にボタン操作を行わなくても、サーキットブレーカを容易にリセットできる電動調理器を提供することにある。
【０００８】
【課題を解決するための手段】
上記課題を解決するために、請求項１に記載の発明は、電動機への過電流を防止するサーキットブレーカと、容器が本体上へ載置されたとき、又は容器が本体上から取り外されたときにサーキットブレーカをリセットするリセット手段とを設けたことを特徴としている。
【０００９】
上記構成によれば、電動機の負荷が過大となって主回路がオフ状態となってしまっても、容器内の材料を減らしてから再度調理するための操作、例えば、容器を本体上に載置したり、又は本体上から取り外したりする操作を行うだけで、サーキットブレーカがリセットされる。
【００１０】
【発明の実施の形態】
以下、本発明の実施の形態を図面に従って説明する。
（実施の形態１）
本発明に係る電動調理器の一つとしてミキサーがある。図１は実施の形態１によるミキサー本体の内部構成を部分的に断面で示した側面図である。図に示すように、ミキサー本体１には駆動軸２を有する電動機３が内蔵されている。ミキサー本体１の上部には駆動カップリング４が回転自在に設けられ、この駆動カップリング４の中心に駆動軸２の上端部が連結されている。
【００１１】
ミキサー本体１上には、図２に示すような容器５が載置される。容器５は、その下部に容器受け台６を備えている。図には示してないが、容器受け台６には、底部中央に上部にカッターが連結される従動カップリングが設けられ、容器５をミキサー本体１上に載置したとき、前記従動カップリングは駆動カップリング４に連結される。容器５は有底カップ形状をなし、上部の開口部に蓋７が嵌合され、また側面には取っ手８が固定されている。なお、９はメインスイッチで、このメインスイッチ９を押すと電動機３の回転をスタートさせることができる。
【００１２】
また、図１に示すように、ミキサー本体１内には、電動機３に過電流が流れたときにメインスイッチ９とは異なる箇所で開放され、リセット操作によりこの開放状態を閉成状態に復帰させる手動復帰型の過電流防止手段として機能するサーキットブレーカ１０が取り付けられ、このサーキットブレーカ１０の近傍にはリセット手段として押し棒１１が上下方向に移動自在に設けられている。押し棒１１は金属又は樹脂等で形成されている。押し棒１１は断面が円形状をなし、その下部は、本体ケース１２に取り付けられたブラケット１３で支持されている。ブラケット１３には貫通孔１３Ａ（図４参照）が形成され、押し棒１１の下部は貫通孔１３Ａに挿通されている。押し棒１１の下部先端にはフランジ部１１Ａが設けられ、フランジ部１１Ａから所定距離だけ離間し且つブラケット１３よりも上方位置に突出部１１Ｂが形成されている。そして、突出部１１Ｂとブラケット１３との間に弾性部材としてコイルバネ１４が介在されている。このコイルバネ１４によって押し棒１１は常時上方向に付勢されている。なお、コイルバネ１４の代わりに、ゴム又は弾性を有する樹脂を設けることもできる。
【００１３】
押し棒１１の上部は、本体ケース１２に設けられ外部に連通したスリーブ１５内に挿通されている。図１の状態では、図２に示した容器５がミキサー本体１上に載置されておらず、押し棒１１はコイルバネ１４の付勢力によって付勢され、スリーブ１５内に挿通された押し棒１１の上部先端はミキサー本体１より上に突出している。
【００１４】
また、押し棒１１の側端には凹部１６Ａ，１６Ｂが上下２箇所に形成されている。凹部１６Ａ，１６Ｂは、円弧状をなし且つ両者が繋がって形成されている。そのため、凹部１６Ａと凹部１６Ｂとの接続点には盛り上がった綾部１６Ｃ（図４参照）が形成されている。そして、サーキットブレーカ１０の中央部に取り付けられた復帰レバー１７が凹部１６Ａ，１６Ｂに係合する。復帰レバー１７は進退自在で、常時、図１の左方向に突出した状態にあるが、右方向へも移動可能である。右方向へ移動したときは、サーキットブレーカ１０はリセットされる。
【００１５】
上記構成において、容器５内に被調理物を入れてミキサー本体１上に載置すると、押し棒１１は容器５の重量（被調理物を含めた重量）により下方に押され、図３に示すように、上側の凹部１６Ａにサーキットブレーカ１０の復帰レバー１７が係合する。このとき、サーキットブレーカ１０はリセットされる訳であるが、これについては後述する。
【００１６】
図３の状態でメインスイッチ９を押したとき、容器５内の被調理物が多すぎると、負荷が過大となって大電流が流れるので、サーキットブレーカ１０が作動して主回路がオフとなる。このような場合、メインスイッチ９をオフにするとともに、取扱者は容器５をミキサー本体１から取り外し、容器５内の被調理物を少なくする。このとき、容器５をミキサー本体１から取り外すと、押し棒１１はコイルバネ１４の付勢力によって上方に移動し、サーキットブレーカ１０の復帰レバー１７は、図１に示すように、下側の凹部１６Ｂに係合する。復帰レバー１７は、図３に示したように容器５がミキサー本体１の上部に載置されていたときは凹部１６Ａに係合していたが、押し棒１１が上方へ移動すると凹部１６Ｂに係合し、このように凹部１６Ａから凹部１６Ｂへの切換り時に、凹部１６Ａと凹部１６Ｂとの間の綾部１６Ｃが復帰レバー１７の位置を通過するので、復帰レバー１７は綾部１６Ｃによって押され、サーキットブレーカ１０がリセットされる。
【００１７】
また、容器５内の被調理物を少なくした後、容器５をミキサー本体１上に再び載置すると、上述したように押し棒１１が容器５の重量によって押され、押し棒１１が下方に移動するので、サーキットブレーカ１０の復帰レバー１７は凹部１６Ｂから凹部１６Ａへと係合が切換り、この切換り時に、凹部１６Ａと凹部１６Ｂとの間の綾部１６Ｃに復帰レバー１７が押されて、サーキットブレーカ１０がリセットされる。したがって、メインスイッチ９をオンにすれば調理を再開できる。
【００１８】
このように、本実施の形態の電動調理器においては、電動機３の負荷が過大となってオフ状態となってしまった主回路を、容器５をミキサー本体１上に載置するとき、及びミキサー本体１上から取り外すときの双方の場合に、サーキットブレーカ１０はリセットされ、オン状態に戻す（復帰させる）ことができる。
【００１９】
（実施の形態２）
次に、実施の形態２を図４を用いて説明する。本実施の形態では、押し棒１１の下方に常開スイッチ２０が設けられている。この常開スイッチ２０のスイッチ本体上面には絶縁材２１が接合されている。絶縁材２１は、押し棒１１が金属の場合に感電を防ぐためのものである。２２は常開スイッチ２０に設けられたバネである。
【００２０】
また、この常開スイッチ２０は、図に示すように、メインスイッチ９、サーキットブレーカ１０及び電動機３に直列に接続され、主回路の一部を構成している。図中、２３は外部の交流電源である。
【００２１】
上記構成において、ミキサー本体１の上部から容器５を取り外すと、図４のように押し棒１１が上方に移動してサーキットブレーカ１０はリセットされるが、この状態でメインスイッチ９を押しても電動機３は回転しない。取扱者がミキサー本体１から容器５を取り外した状態でメインスイッチ９がオン状態であると、容器５が取り外されていても電動機３が空転して、取扱者を驚かしてしまう恐れがある。本実施の形態においては、容器５をミキサー本体１上から取り外して押し棒１１が上方に移動すると、常開スイッチ２０はバネ２２の付勢力によって上に押し上げられ、常開スイッチ２０がオフとなるので、主回路はオフ状態となり、メインスイッチ９を押しても電動機３には電流が流れず、電動機３が空転するのを防ぐことができる。
【００２２】
ミキサー本体１上に容器５を載置すれば、容器５の重量によって押し棒１１は押されて下方に移動し、押し棒１１のフランジ部１１Ａが絶縁材２１を介して常開スイッチ２０を押し下げるため、常開スイッチ２０はオン状態となる。この状態でメインスイッチ９を押せば、電動機３に電流が流れて電動機３は回転する。
【００２３】
本実施の形態によれば、ミキサー本体１から容器５を取り外した状態で電動機３が空転することがないので、取扱者に対する安全性の向上を図ることができる。
【００２４】
なお、容器５をミキサー本体１上から取り外したときに、常開スイッチ２０により電動機３を停止させたが、メインスイッチ９をオフ状態に保持するようにしても良い。
【００２５】
（実施の形態３）
次に、実施の形態３を図５及び図６を用いて説明する。本実施の形態では、ミキサー本体１の上部にアクチュエータ３０が内蔵されている。このアクチュエータ３０は中央部が本体ケース１２に揺動自在に取り付けられ、一側は押し棒３１の下端部に当接し、他側は本体ケース１２との間に設けられたコイルバネ３２によって下方に付勢されている。押し棒３１は上下方向に移動自在に本体ケース１２に取り付けられている。また、アクチュエータ３０の一側には、図７に示すように、Ｌ字状部３０Ａが設けられ、このＬ字状部３０Ａの下部上面はサーキットブレーカ１０の復帰レバー１７に当接している。なお、図７は図６をＡ方向から見た図である。
【００２６】
アクチュエータ３０の他側には、その下方に、メインスイッチ９のオンオフを制御するメインスイッチ制御部３３が設けられている。このメインスイッチ制御部３３は上下に移動自在な作動ピン３４を有し、作動ピン３４はアクチュエータ３０の他側の底面に接している。メインスイッチ制御部３３は、作動ピン３４が突出しているときは取扱者がメインスイッチ９を押すことができるが、作動ピン３４が突出していないときはメインスイッチ９をロックして、メインスイッチ９を押すことができないように制御する。
【００２７】
上記構成において、ミキサー本体１上に容器５が載置されているときは、押し棒３１が押されて下方に移動するので、アクチュエータ３０は、その一側が押されることにより、コイルバネ３２の付勢力に抗して、図５のように、一側が下方に他側が上方の状態に傾斜する。このときは、アクチュエータ３０の他側はメインスイッチ制御部３３のピン３４を押しておらず、またサーキットブレーカ１０の復帰レバー１７も押していない。したがって、メインスイッチ制御部３３はメインスイッチ９をロックしておらず、取扱者がメインスイッチ９を押せば電動機３を回転駆動させることができる。
【００２８】
ミキサー本体１から取り外すと、アクチュエータ３０は、その他側がコイルバネ３２の付勢力によって押されて揺動し、図６のように略水平状態となる。このとき、アクチュエータ３０の他側はメインスイッチ制御部３３の作動ピン３４を押し下げるので、メインスイッチ制御部３３はメインスイッチ９をロックして、取扱者がメインスイッチ９を押そうとしても押すことができない。また同時に、アクチュエータ３０のＬ字状部３０Ａはサーキットブレーカ１０の復帰レバー１７を押圧するので、サーキットブレーカ１０がリセットされる。さらに、押し棒３１はアクチュエータ３０の揺動によって上方に押し上げられる。
【００２９】
本実施の形態によれば、ミキサー本体１から容器５を取り外した状態で電動機３が空転することがないので、実施の形態２と同様、取扱者に対する安全性の向上を図ることができる。
【００３０】
なお、上記実施の形態１〜３では、電動調理器としてミキサーについて説明してきたが、本発明はミキサーに限らず、ジューサ、クッキングカッター等の回転調理器にも適用できる。
【００３１】
【発明の効果】
以上説明したように、本発明によれば、電動機の負荷が過大となって主回路がオフ状態となってしまっても、ボタン操作などを行うことなく、サーキットブレーカを容易にリセットすることができる。
【図面の簡単な説明】
【図１】実施の形態１によるミキサー本体の内部構成を示しており、ミキサー本体から容器を取り外したときの様子を示した図である。
【図２】ミキサー本体及び容器の側面図である。
【図３】実施の形態１によるミキサー本体の内部構成を示しており、ミキサー本体上に容器を載置したときの様子を示した図である。
【図４】実施の形態２によるミキサー本体の要部構成を示した図である。
【図５】実施の形態３によるミキサー本体の内部構成および容器を示しており、ミキサー本体上に容器を載置したときの様子を示した図である。
【図６】実施の形態３によるミキサー本体の内部構成を示しており、ミキサー本体から容器を取り外したときの様子を示した図である。
【図７】図６をＡ方向から見た矢視図である。
【符号の説明】
１  ミキサー本体
３  電動機
５  容器
９  メインスイッチ
１０  サーキットブレーカ
１１  押し棒
１４  コイルバネ
１６Ａ，１６Ｂ  凹部
１７  復帰レバー
２０  常開スイッチ
３０  アクチュエータ
３１  押し棒
３３  メインスイッチ制御部
【図１】
0003771168.tif 000002
【図２】
0003771168.tif 000003
【図３】
0003771168.tif 000004
【図４】
0003771168.tif 000005
【図５】
0003771168.tif 000006
【図６】
0003771168.tif 000007
【図７】
0003771168.tif 000008